(57)【要約】【課題】揺動する有色部材と交差した際に、有色部材から入射した有色光を光透過部材内で反射して出射する変色機能を有する装身具を提供する。【解決手段】装身具は、光透過部材がペンダント本体の一端に設けられた石座に爪部で固定され、ペンダント本体の他端には、アーム部が片持ち支持され回動可能に設けられている。アーム部の先端の保持部には、有色部材が光透過部材と対向する位置に保持され、アーム部の揺動により、光透過部材前方を交差するように有色部材が移動し、その交差する度に光透過部材から光透過部材による有色光が出射されて、光透過部材が点滅するかのように色を変化させる。【選択図】図１
2010155023.tif 000002
【特許請求の範囲】
【請求項１】
複数の反射面を有し、所定の光軸の方向から入射した光を前記反射面で内部に反射して、前記光軸の方向に出射する光透過部材と、
前記光透過部材を固定するベース部材と、
外光を透過又は反射して有色光を出射する有色部材と、
前記ベース部材に回動可能に片持ち支持され、先端に前記有色部材を前記光透過部材と対向させて固定し、前記光透過部と前記有色部材が交差するように揺動するアーム部と、
を具備し、
前記光透過部材上を前記有色部材が通過した際に、該有色部材からの有色光が前記光透過部材に前記光軸の方向から入射し、前記反射面で反射した前記有色光を前記光透過部材から前記光軸の方向に出射することを特徴とする揺動による変色機能を有する装身具。
【請求項２】
前記ベース部材に立設された固定軸と、
前記固定軸に嵌装されるベアリングと、
前記ベアリング外面に覆設された保持部材と、
前記保持部材に着脱自在に挿嵌される前記アーム部と、
を具備することを特徴とする請求項１に記載の装身具。
【請求項３】
前記アーム部は、先端に設けられた、前記有色部材を内包して固定する支持部を具備し、
前記支持部の側面に開口され、前記有色部材に外光を取り入れるための窓を有することを特徴とする請求項１に記載の装身具。
【請求項４】
前記アーム部の前記支持部は、収容する前記有色部材の底部側に配置される、前記光透過部材と同等の部材又は、前記有色部材とは色の異なる有色部材の何れかを具備し、前記アーム部の正面側に露呈することを特徴とする請求項２に記載の装身具。
【請求項５】
前記装身具は、時計機構を有し、
前記ベース部材が時計の文字盤からなり、
前記アーム部が時計針部材からなり、
前記光透過部材は、前記文字盤上に固定され、
前記有色部材は、前記時計針部材が回転した際に、前記光透過部材と交差する該時計針部材の位置に固定されることを特徴とする請求項１に記載の装身具。
【請求項６】
外光を透過又は反射して有色光を出射する有色部材と、
前記有色部材を固定するベース部材と、
複数の反射面を有し、所定の光軸の方向から入射した光を前記反射面で内部に反射して、前記光軸の方向に出射する光透過部材と、
前記ベース部材に回動可能に片持ち支持され、先端に前記光透過部材を前記有色部材と対向させて固定し、前記有色部材と前記光透過部が交差するように揺動するアーム部と、
を具備し、
前記有色部材上を前記光透過部材が通過した際に、該有色部材からの有色光が前記光透過部材に前記光軸の方向から入射し、前記反射面で反射した前記有色光を前記光透過部材から前記光軸の方向に出射することを特徴とする揺動による変色機能を有する装身具。
【発明の詳細な説明】
【技術分野】
【０００１】
本発明は、揺動する有色部材からの有色光を反射する宝石等が配置された変色機能を有する装身具に関する。
【背景技術】
【０００２】
一般に、装飾具として知られている指輪やペンダントは、例えばダイヤモンド等の宝石を貴金属製の指輪本体やペンダントトップの石座に複数の爪を用いて固定している。宝石は、元々固有の色を有しており、その輝きや大きさが誇大して見えるように、種々の研磨方法やカット方法が提案され、実用化されている。
【０００３】
また、指輪本体やペンダントトップにおいても、購買者の嗜好に合うように、多数のデザインが採用されて作製されている。ペンダントトップにおいては、支持するチェーンを掛けるバチカン等に連結箇所を設けた構成を持ち、装飾者の動きに合わせて、固定された宝石が揺れ動くタイプも知られている。
【０００４】
また通常、宝石自体は固有の色を有しており、外光の入射加減により見た目が僅かに変化する程度であり、その殆どは不変である。従って、色を楽しむためには、色が異なる複数の宝石を組み合わせて配置固定している。
【先行技術文献】
【特許文献】
【０００５】
【特許文献１】特開平７−２８４４０６号公報
【発明の概要】
【発明が解決しようとする課題】
【０００６】
前述した色を変化させる装身具として、例えば、特許文献１には、宝石を光軸の方向に積み重ねるように配置した構成の指輪が提案されている。この指輪には、ブルー色系のサファイヤの頂部に窪みを形成し、その窪みにカラーグレードが低い安価なダイヤモンドのパビリオンの先端部分を密着するように嵌合させた２段重ねの構成が採用されている。この構成の場合、色の変化を楽しむための装身具ではなく、安価な宝石を高価な宝石に見せる、見栄えを得るためのものである。一般的に、高価な宝石であれば、このような着色は行わない。
【０００７】
本発明は、揺動する有色部材と交差した際に、有色部材から入射した有色光を光透過部材内で反射して出射する変色機能を有する装身具を提供することを目的とする。
【課題を解決するための手段】
【０００８】
上記目的を達成するために本発明に従う実施形態は、複数の反射面を有し、所定の光軸の方向から入射した光を前記反射面で内部に反射して、前記光軸の方向に出射する光透過部材と、前記光透過部材を固定するベース部材と、外光を透過又は反射して有色光を出射する有色部材と、前記ベース部材に回動可能に片持ち支持され、先端に前記有色部材を前記光透過部材と対向させて固定し、前記光透過部と前記有色部材が交差するように揺動するアーム部と、を具備し、前記光透過部材上を前記有色部材が通過した際に、該有色部材からの有色光が前記光透過部材に前記光軸の方向から入射し、前記反射面で反射した前記有色光を前記光透過部材から前記光軸の方向に出射する装身具を提供することができる。
【発明の効果】
【０００９】
本発明によれば、揺動する有色部材と交差した際に、有色部材から入射した有色光を光透過部材内で反射して出射する変色機能を有する装身具を提供することができる。
【図面の簡単な説明】
【００１０】
【図１】図１（ａ）は、第１の実施形態に係る装身具の一例を正面から見た外観構成を示す正面図、図１（ｂ）は、装身具の一例を下面から見た外観構成を示す下面図、図１（ｃ）は、装身具の一例を側面から見た外観構成を示す側面図、図１（ｄ）は、装身具の一例を斜め上から見た外観構成を示す斜視図である。
【図２】図２（ａ）は、アーム部が揺動する装身具を正面から見た外観構成を示す正面図、図２（ｂ）は、アーム部が揺動する装身具の一例を下面から見た外観構成を示す下面図、図２（ｃ）は、アーム部が揺動する装身具の一例を側面から見た外観構成を示す側面図、図２（ｄ）は、アーム部が揺動する装身具の一例を斜め上から見た外観構成を示す斜視図である。
【図３】図３（ａ），（ｂ）は、アーム部の支持機構を示す断面図である。
【図４】図４（ａ）は、第２の実施形態として、ブレスレットに本発明を適用した例について説明するための外観構成を示す図、図４（ｂ）は、ブレスレットに設けられた時計の文字盤を示す図である。
【図５】図５（ａ），（ｂ），（ｃ）は、光透過部材及び有色部材の配置例を示す図である。
【発明を実施するための形態】
【００１１】
以下、図面を参照して本発明の実施形態について詳細に説明する。  
図１（ａ）は、第１の実施形態に係る装身具の一例を正面から見た外観構成を示す正面図、図１（ｂ）は、装身具の一例を下面から見た外観構成を示す下面図、図１（ｃ）は、装身具の一例を側面から見た外観構成を示す側面図、図１（ｄ）は、装身具の一例を斜め上から見た外観構成を示す斜視図である。
【００１２】
本実施形態は、装身具としてペンダントトップを一例として説明する。図１（ａ）に示すように、ペンダントトップ１は、ベース部材であるペンダント本体２と、例えば、ダイヤモンド等の宝石からなる光透過部材３と、光透過部材３をペンダント本体２の一端に設けられた石座２ａに固定する爪部４と、ペンダント本体２の他端に設けられたバチカン部２ｂと、片持ち支持され回動可能に設けられたアーム部５と、アーム部５の保持部５ａに保持される例えば、ルビーからなる有色部材６とで構成される。  
光透過部材３は、外周が円形形状又は、円形に近い多角形形状が好ましく、複数の反射面例えば、ラウンド・ブリリアンカットによるカット面を有している。この反射面の形態は限定されるものではないが、少なくとも予め定められた光軸の方向から入射した光が、内部で反射（又は、屈折）して、その光軸の方向に反射光を出射することが好ましい。つまり、上から入射した光が内部で屈折して、その光が上へ戻るように出射される。以下の説明において、それぞれの光透過部材３及び有色部材６の中心を光軸と称し、光軸の方向とは、それぞれに光透過部材３及び有色部材６の中心線を通過する方向をいう。
【００１３】
光透過部材３は、例えば、ダイヤモンドを代表とする透明な宝石類、キュービックジルコニアを代表とする人造石類、クリスタルガラスなどのガラス類又は、透明樹脂等の無色透明な部材を採用することができる。また、無色でなくとも薄い色を持つ、例えば、アクアマリンのように薄いブルーに着色して光を透過する部材も用いることができる。特に、光透過部材３に無色透明な部材を用いれば、有色部材６のみによる有色光が反射して出射され、一方、薄く有色していれば、その色と有色部材６による有色光との混合色の反射光が出射される。
【００１４】
また、有色部材６としては、赤色を持つルビーや緑色を持つエメラルド等の有色な宝石類、有色な樹脂、又は何らかの色がペイントされた部材を用いることができる。その他の部材としては、入射した光を蓄えて発光する蓄光部材や蛍光部材であってもよい。
【００１５】
有色部材６は、入射した外光を透過又は、入射した外光を反射して、光に色を与えて、光透過部材３に入射させる。
【００１６】
ベース部材のペンダント本体２は、金、銀又はプラチナ等の貴金属の単体又は組み合わせにより形成されている。勿論、ペンダント本体２の材料は、貴金属に限定されるものではなく、他の一般的な金属、樹脂、樹木類、石類又はメッキ等の表面処理された部材であってもよく、特には限定されない。但し、それらの部材において、光透過部材３及びアーム部５を取り付けるための剛性は必要である。また、外形形状についても、種々のデザインを採用することができ、限定されるものではないが、少なくとも固定された光透過部材３の上方を通過するアーム部が取り付けられる長さが必要である。光透過部材３は、爪を用いて、ペンダント本体２に設けられた石座に固定される。本実施形態において光透過部材３の取り付け手法は、公知な手法を利用すればよく、特には限定されない。
【００１７】
アーム部５は、図３（ａ）に示すように、ペンダント本体２のバチカン側には、円柱状の固定軸１１が突起するように立設される。固定軸１１は、削り出しや鋳造によりペンダント本体２と一体的に形成してもよいし、別体で作製して嵌め込んで固定してもよい。
【００１８】
固定軸１１には、ベアリング１２が嵌合される。さらに、ベアリング１２の外側に嵌め込むように、キャップ形状の金属部材又は樹脂部材からなる保持部材１３を嵌装する。この構成により、保持部材１３が軽敏に回転することができる。
【００１９】
本実施形態では、図３（ｂ）に示すように、アーム部５が保持部材１３の突起部分１３ａと、この突起部分１３ａに係合するような溝５ｂとが形成され、回動可能に片持ち支持され、且つ着脱自在に係合するように構成されている。勿論、係合する構成は他にもあり、例えば、突起部分１３ａに換わって、弓形又は、くの字型に中央部分が張り出すように形成された板バネ形状の弾性部材であってもよい。この弾性部材は、アーム部５が嵌装された際に、アーム部５の取り付け穴の内側面を押圧して、摩擦及び弾性力で係合する。
【００２０】
このような構成を採用した場合に、色が異なる有色部材６をそれぞれに備えた複数種のアーム部５を用意すれば、装飾者の好みに応じて適宜、取り替えが可能である。また、アーム部５の形状においても、画一的ではなく、同じ長さであれば、異なる形状（デザイン）であってもよい。尚、アーム部５がペンダント本体２に対して、着脱不可に固定されている構成であれば、保持部材１３を省略して、アーム部５をベアリング１２に直接的に嵌装して、接着剤等で固着してもよい。
【００２１】
また、アーム部５の先端側には、有色部材６を保持するための筒形状の有色部材保持部５ｄが設けられている。本実施形態において、有色部材６は、側方から見て有色部材保持部５ｄからはみ出ないように収容、即ち内包されて、接着剤等により固定されている。有色部材６が収容されている有色部材保持部５ｄの側面には、少なくとも１つ以上の窓５ｃが開口されている。この窓５ｃは、側方から有色部材６に外光を採光するために用いられる。この窓５ｃから入射した光は、有色部材６から有色光として、光透過部材３に入射する。窓５ｃは、内部の有色部材６が見えにくいように、小径の孔を複数開口してもよいし、メッシュ状であってもよい。
【００２２】
但し、アーム部５のデザイン等の影響により、有色部材保持部５ｄから有色部材６の先端部分がはみ出たとしても光透過部材３が変色する作用自体は変わらない。尚、窓５ｃは、採光に用いているため、有色部材６の先端部分が有色部材保持部５ｄから外にはみ出していれば、そのはみ出た部分から採光できるため、この窓５ｃは必ずしも必要ではない。
【００２３】
有色部材保持部５ｄの筒形状の正面側は、正面から有色部材６が見えないように処置することが好ましい。本実施形態では、その筒形状の正面側には、光透過部材３と同等な材料からなる部材７を収容して、図１（ａ）に示すように、他者が正面から見ても有色部材６が見えないように工夫をしている。これは、揺動時に光透過部材３が有色部材６による色で点滅しているかのように、意外性を見せるためである。勿論、有色部材保持部５ｄを単に塞いだ構成又は、有色部材６とは異なる色の部材を正面に配置して、後述するように光透過部材３から有色部材６の有色光が出射するように構成してもよい。
【００２４】
図１（ａ）乃至（ｄ）及び図２（ａ）乃至（ｄ）を参照して、以上のように構成された本実施形態の装身具における作用について説明する。ここで、図２（ａ）は、アーム部が揺動する装身具を正面から見た外観構成を示す正面図、図２（ｂ）は、アーム部が揺動する装身具の一例を下面から見た外観構成を示す下面図、図２（ｃ）は、アーム部が揺動する装身具の一例を側面から見た外観構成を示す側面図、図２（ｄ）は、アーム部が揺動する装身具の一例を斜め上から見た外観構成を示す斜視図である。
【００２５】
アーム部５に設けられた有色部材６と光透過部材３との位置関係について説明する。  
図１（ａ）に示すように、有色部材６と光透過部材３とは、光透過部材３の中心（光軸と称している）に有色部材６の中心（光軸）が光軸の方向に一致するようにアーム部５に保持される。ここで、光軸の方向とは、それぞれに光透過部材３及び有色部材６の中心線を通過する方向をいう。アーム部５は、ペンダント本体（ベース部材）２に回動可能に片持ち支持されている。アーム部５が揺動する場合、図２（ａ）に示すように、ペンダント本体の固定軸１１を中心として振り子にように回動する。
【００２６】
図１（ａ）に示すように、アーム部５に設けられた有色部材６の中心と光透過部材３の中心を光軸の方向で一致するように配置することで、アーム部５の揺動により反復する度に、光透過部材３上方を有色部材６が互いの中心（光軸）を通り抜けるように交差する。
【００２７】
この交差する際に、有色部材６が出射する有色光が光透過部材３に入射する。光透過部材３に形成された複数の反射面は、所定の光軸の方向から入射した光を内部に反射して、最終的に光軸の方向に出射する。この時、光透過部材３内で複数回、反射を繰り返した後、光軸の方向に出射される場合がある。従って、揺動する様子を見た他者には、光透過部材３が瞬間的に色を変化させて、不規則に有色光が点滅しているように見える。
【００２８】
以上説明したように、元々が透明又は固有の薄い色を有する光透過部材３が揺動に伴い、光透過部材３が一瞬のみ色が変化したように見えるため、他人の目を引くという特徴を有している。さらに、有色部材保持部５ｄに収容された有色部材６は、側方や上方から見えないように設けられているため、ペンダントトップを見て変色する状態に意外性を持たせている。
【００２９】
また本実施形態の構成によれば、光透過部材３にダイヤモンド等の高価な貴石を用いた場合に、従来からの手法により部材自体に損傷を与えないように光透過部材３を固定し、有色部材６は光透過部材３と離間して揺動するため、光透過部材３には損傷を与えず、光透過部材３の価値を低下させることがない。
【００３０】
また、交換可能なアーム部を用いることにより、有色部材６を異なる色に変えることができるため、装飾者の気分により色を選択することができる。また、本実施形態では、有色部材６の色を一色であるものとして説明したが、例えば、左右に分割して異なる色の２つの有色部材６を配置すれば、さらに異なった印象を与えることもできる。
【００３１】
本実施形態で説明した変色機能を有する装身具は、ペンダントトップを例として説明したが勿論、これに限定されるものではなく、他にも指輪、ネックレス、ブローチ、アンクレット、イヤリング、ネクタイピン、カフスボタン等の装身具に適用できる。また、さらには、帽子、鞄、釦などの小物用品に適用することも可能である。尚、帽子や鞄に用いた場合など、揺動するアーム部に他のものと衝突等による損傷が及ぶ可能性がある状態で使用する場合には、揺動するアーム部全体を透明カバーで覆うように構成してもよい。
【００３２】
また、本実施形態においては、揺動は有色部材６が光透過部材３の前方を振り子状に振れる動作について説明したが、基本的には、光透過部材３の前方を通過する動作であればよいため、光透過部材３の廻りを有色部材６が回転する動作であってもよい。また、光透過部材３の前方の通過だけではなく、光透過部材３に対して光軸上を遠近方向に移動する動作であってもよい。さらに、ベース部材は、アーム部５を光透過部材３の光軸上で有色部材６が対峙するように固定する又は、任意の位置で固定するストッパ部材を設けてもよい。
【００３３】
前述した第１の実施形態においては、光透過部材３を固定し、有色部材６が揺動する構成であったが、反対に、有色部材６が固定され、光透過部材３を揺動する構成であってもよい。さらに、光透過部材３と有色部材６が、互いに行き違うように共に揺動する構成であってもよい。また、光透過部材３と有色部材６が異なる周期で揺動して、行き違うだけではなく、早い周期のものが遅い周期のものを追い越す動作を含んでもよい。  
また、前述した例では、１個の光透過部材３に対して、１個の有色部材６による構成例であるが、いずれか一方が複数個であっても、共に複数個であってもよい。尚、共に複数個であっても、必ずしも光透過部材３と有色部材６とが同数である必要はない。
【００３４】
複数個における配置は、アーム部が円弧状に揺動するのであれば、１つの円周方向（後述する図５（ｃ）を参照）にそれぞれ複数の光透過部材３及び有色部材６を配置する、又は、円弧状の径方向（後述する図５（ａ），（ｂ）を参照）に並べて配置してもよい。これらの配置においては、それぞれ複数の光透過部材３及び有色部材６は、揺動時に対向するのであれば、隣接して配置してもよいし、任意の間隔を空けるように離間して配置してもよい。
【００３５】
次に、第２の実施形態について説明する。  
前述した第１の実施形態では、装身具としてペンダントトップを例にとって、不規則な揺動による色の変化の例について説明した。これに対して、本実施形態では、図４（ａ）に示すように時計機構が組み込まれた装身具、例えば、時計付ブレスレット２０に適用した例について説明する。
【００３６】
図４（ｂ）に示すように、前述した光透過部材３を時計２１の文字盤２２上、例えば、時刻を知らせるための数字（又は、マーク）２３の位置に配置し、有色部材６を時計針２４に配置することにより、時計針２４が文字盤２２上を回転して、有色部材６と交差する度に、光透過部材３から有色光を出射させることができる。
【００３７】
また、時計針の短針（時針）と長針（分針）のそれぞれに光透過部材３と有色部材６を取り付けて、長針が短針を追い越す度に色変化を行ってもよい。また、長針（分針）と長針（秒針）又は、短針（時針）と長針（秒針）の組み合わせであってもよいし、さらに、全部の時計針に光透過部材３と有色部材６を組み合わせて設けてもよい。
【００３８】
本実施形態によれば、不規則な揺動だけではなく、時計針のように規則正しく回転（又は、動作）する構成部位に適用しても前述した第１の実施形態と同様な作用効果を得ることができる。
【００３９】
次に、第２の実施形態の変形例について説明する。  
図５（ａ）に示すように、時計針２４に、それぞれに異なる色の４つの有色部材６ａ，６ｂ，６ｃ，６ｄを並べて配置する。有色部材６ａ，６ｂ，６ｃ，６ｄを例えば、４つの色を赤色、青色、ピンク色及び緑色とする。それぞれの有色部材が通過する位置且つ時刻を示す位置に４つの光透過部材３を配置する。その時刻を示す位置として、例えば、時計の文字盤上の１２，３，６，９時の位置に配置することにより、分時に応じて異なる色が光透過部材３から出射されるため、装身者は色を見た時に時間を推測することができる。本変形例は、さらに、前述した第２の実施形態の効果を奏することができる。尚、第２の実施形態及びその変形例は、装身具に設けられる時計ではなく、一般的な腕時計、掛け時計や置き時計における時計針と文字盤、又は振り子等に対しても同様に適用することができる。
【００４０】
前述した各実施形態及び変形例では、光透過部材３に対して、有色部材６が揺動するように構成したが、反対に有色部材６を固定して光透過部材３を揺動させる構成であってもよい。
【００４１】
また、図５（ａ），（ｂ）においては、複数の有色部材６を円弧状の揺動における径方向に配置した例であるが、図５（ｃ）に示すように、複数の有色部材６を円周方向に配置した構成であってもよい。図５（ａ），（ｂ），（ｃ）に示した時計針２４は、光透過部材３からの有色光が正面から見えるように、有色部材６の径等を考慮した幅に設計するか、若しくは、透明な材料を用いて作成する。尚、透明な材料を用いた場合には、有色部材６の色（裏面から見える色）が見えないように、有色部材６の裏面の色又は石座等を処理する必要がある。
【符号の説明】
【００４２】
１…ペンダントトップ、２…ペンダント本体（ベース部材）、２ａ…石座、２ｂ…バチカン部、３…光透過部材、４…爪部、５…アーム部、５ａ…保持部、５ｂ…溝、５ｃ…窓、５ｄ…有色部材保持部、６…有色部材、７…部材、１１…固定軸、１２…ベアリング、１３…保持部材、１３ａ…突起部分。
【図１】
2010155023.tif 000003
【図２】
2010155023.tif 000004
【図３】
2010155023.tif 000005
【図４】
2010155023.tif 000006
【図５】
2010155023.tif 000007